(57)【特許請求の範囲】
【請求項１】
出入り口等の開口部の上部に設けた上枠と、該上枠に設けられた走行レールと、戸体と、該戸体の上端部に設けられ、前記走行レールを転動する走行ローラと、開口部の戸尻側半部を覆うべく設けた戸袋パネルとを備えて構成される上吊り式の引き戸装置において、前記上枠は、前後方向一方側面及び上面が覆われ、他方側面が開口し、該開口の戸尻側半部を塞ぐ塞ぎ板と、戸先側半部の点検口を開閉自在に覆蓋する蓋体とを備えて構成されるものであり、上枠には、前記開口戸尻側半部を塞ぐ塞ぎ板の戸先側部位に配設される補強フレームが固定されていることを特徴とする上吊り式の引き戸装置。
【請求項２】
補強フレームは冂字形をし、上枠の前後両面板と上面板に固定することで補強していることを特徴とする請求項１記載の上吊り式の引き戸装置。
【請求項３】
上枠は、開口部の全幅に亘って設けられ、前後方向一方側面および上面を覆い、他方側面が開口した前後方向一方側の板材を備えて構成されるものであることを特徴とする請求項１または２記載の上吊り式の引き戸装置。
【請求項４】
戸袋パネルは、冂字形をした下端縁部が床面に設けたレール状の床側材に外嵌して支持され、戸尻側端部が床と天井とのあいだに支持される支柱に固定の戸尻側縦枠に設けた係止金具に係止することで支持されたものであり、上枠は、下端部が戸袋パネル上端部に前後方向内側から螺入するビスを介して支持されていることを特徴とする請求項１、２または３に記載の上吊り式の引き戸装置。
【請求項５】
前後方向一方側の板材の内面には補強板が設けられ、上枠の戸尻側半部の上面は、補強板の上側片、一方側の板材の上側片並びに塞ぎ板の上側片が上下方向に積層された状態でビス固定されていることを特徴とする請求項３または４記載の上吊り式の引き戸装置。
【発明の詳細な説明】
【技術分野】
【０００１】
本発明は、建物の出入り口等の開口部に建て付けられる上吊り式の引き戸装置の技術分野に関するものである。
【背景技術】
【０００２】
今日、引き戸装置のなかには、室内を区画するために設けられる間仕切りの一部を開口部として出入りできるようにする場合があり、このような開口部の上廻りに走行レール（ハンガーレール）を設け、該走行レールに、戸体の上端部に設けた走行ローラを転動させることで開口部の開閉をするようにした所謂上吊り式のものがある。このようなものにおいて、走行レールは、開口部上部に設けられる上枠内に配設されることになるが、上枠は開口部の全幅に亘って設けられる幅広のものになる（例えば特許文献１参照）。ところでこのような上吊り式の引き戸装置を間仕切りの一部として設ける場合、左右縦枠を躯体に直接設けることができないが、走行レールは、左右方向に移動する戸体を吊持するものであるため、それなりの強度が要求され、そのためには、走行レールを支持する上枠により強度的な保証をする必要がある。
【先行技術文献】
【特許文献】
【０００３】
【特許文献１】特開平９−２３５９３８号公報
【発明の概要】
【発明が解決しようとする課題】
【０００４】
しかもこのような場合に、上枠自体、躯体側に直接設けることができないが、その左右両端部（戸尻側端部、戸先側端部）は、天井と床面とのあいだに設けた支柱に支持させることができるため比較的強いものにできるが、上枠の中間部（戸袋の戸先側端部位）はこのような支持がないため、強固な支持ができないこととなって強度的に劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、出入り口等の開口部の上部に設けた上枠と、該上枠に設けられた走行レールと、戸体と、該戸体の上端部に設けられ、前記走行レールを転動する走行ローラと、開口部の戸尻側半部を覆うべく設けた戸袋パネルとを備えて構成される上吊り式の引き戸装置において、前記上枠は、前後方向一方側面及び上面が覆われ、他方側面が開口し、該開口の戸尻側半部を塞ぐ塞ぎ板と、戸先側半部の点検口を開閉自在に覆蓋する蓋体とを備えて構成されるものであり、上枠には、前記開口戸尻側半部を塞ぐ塞ぎ板の戸先側部位に配設される補強フレームが固定されていることを特徴とする上吊り式の引き戸装置である。
請求項２の発明は、補強フレームは冂字形をし、上枠の前後両面板と上面板に固定することで補強していることを特徴とする請求項１記載の上吊り式の引き戸装置である。
請求項３の発明は、上枠は、開口部の全幅に亘って設けられ、前後方向一方側面および上面を覆い、他方側面が開口した前後方向一方側の板材を備えて構成されるものであることを特徴とする請求項１または２記載の上吊り式の引き戸装置である。
請求項４の発明は、戸袋パネルは、冂字形をした下端縁部が床面に設けたレール状の床側材に外嵌して支持され、戸尻側端部が床と天井とのあいだに支持される支柱に固定の戸尻側縦枠に設けた係止金具に係止することで支持されたものであり、上枠は、下端部が戸袋パネル上端部に前後方向内側から螺入するビスを介して支持されていることを特徴とする請求項１、２または３に記載の上吊り式の引き戸装置である。
請求項５の発明は、前後方向一方側の板材の内面には補強板が設けられ、上枠の戸尻側半部の上面は、補強板の上側片、一方側の板材の上側片並びに塞ぎ板の上側片が上下方向に積層された状態でビス固定されていることを特徴とする請求項３または４記載の上吊り式の引き戸装置である。
【発明の効果】
【０００６】
請求項１の発明とすることにより、上枠の中間部位での補強が簡単にできることになって引き戸装置の強度アップが図れることになる。しかも上枠に形成される点検口を幅広いものにして点検しやすいものにできながら、戸枠中間部の補強ができることになる。
請求項２の発明とすることにより、上枠の前後両面板及び上面板の補強ができることになる。
請求項３の発明とすることにより、上枠に形成される点検口を幅広いものにして点検しやすいものにできながら、さらに戸枠中間部の補強ができることになる。
請求項４の発明とすることにより、間仕切りのように縦枠が躯体に取付けられないようなものにおいて、戸袋パネルの上下および戸尻側端部を強度を持たせた状態で組付けられることになって、戸袋パネルの変形防止を図ることができる。
請求項５の発明とすることにより、上枠の戸尻側半部の上側部の強度アップが図れることになる。
【図面の簡単な説明】
【０００７】
【図１】引き戸装置の全体正面図である。
【図２】引き戸装置の点検口および塞ぎ板を外した状態の全体正面図である。
【図３】戸体および戸袋部位の水平断面図である。
【図４】（Ａ）（Ｂ）は欄間部位の水平断面図、上枠部位の水平断面図である。
【図５】図１のＡ−Ａ断面図である。
【図６】図１のＢ−Ｂ断面図である。
【図７】図１のＣ−Ｃ断面図である。
【図８】（Ａ）（Ｂ）（Ｃ）は前後方向一方側戸袋パネルの縦枠への組込み状態を示す斜視図、側面図、巾木の戸袋パネルへの取り付け状態を示す正面図である。
【図９】（Ａ）（Ｂ）は前後方向他方側戸袋パネルの組込み状態を示す斜視図、側面図、巾木の組込み状態を示す正面図である。
【図１０】上枠の本体板の組込み状態を示す斜視図である。
【図１１】要部の分解斜視図である。
【図１２】（Ａ）は中間支柱の組込み状態を示す縦断面図、（Ｂ）はパネル体を欄間とした状態の要部縦断面図、（Ｃ）はガラス板を欄間とした状態の要部縦断面図である。
【発明を実施するための形態】
【０００８】
以下、本発明の実施の形態について、図面に基づいて説明する。図面において、１は間仕切りＸの一部に設けられる開口部の戸先側半部の開閉をし、該戸先側半部を開放しているときには戸尻側半部に設けられた戸袋を構成する前後一対の戸袋パネル（鏡板）２内に収容される上吊り式（ハンガー式）引き戸用の戸体であって、該戸体１の上端上方には、戸先側、戸尻側のブラケット３ａ、３ｂを介して走行ローラ３が設けられている。戸先側ブラケット３ａは、戸尻側ブラケット３ｂよりも低い位置で走行ローラ３を軸支しており、これによって後述するよう戸先側が低くなるよう傾斜した走行レール４を左右方向に転動する場合に、戸体１が水平姿勢になるよう設定されている。
尚、説明の便宜上、戸体１が移動する方向を左右方向、開口部の出入り方向を前後方向として説明するが、これに限定されるものではない。
【０００９】
前記戸袋パネル２の下端部は、床Ｆにアンカーボルト５ａを介して固定した床側材５に支持されているが、床側材５は、前後幅が間仕切りＸの前後厚と同じ寸法に設定されているが、断面略凵字形をした長尺物で、前後両上端部は互いに対向するよう前後内側方向に冂字形に折返し形成され、平面状となった折返し部５ｂの上端部には左右方向に適宜間隔を存してネジ５ｃが上下方向高さ調節自在に螺入している。床側材５の下面戸先側端面からは、戸体１の前後方向の振れ止めをするための振れ止めローラ５ｇを取付けるための舌片５ｄが戸先側に向けて延設されるが、該舌片５ｄもアンカーボルト５ｆを介して床Ｆに固定されている。
【００１０】
前記戸袋パネル２の下端部には、前後方向外側面が低くなって床面に近接対向する断面冂字形をした長尺状の巾木６がビス６ｂを介して固定されているが、該巾木６の跨部６ａは、前記床側材５の折返し部５ｂに上側から外嵌して上内面が前記螺子５ｃのネジ頭５ｅに当接することで支持されるようになっており、これによって戸袋パネル２の重量の一部を支持できるように設定されている。そして前記ネジ５ｃのネジ込み量の調整によって戸袋パネル２の高さ調整ができるようになっている。
【００１１】
一方、７は左右開口端の間仕切りＸに左右方向外半部が嵌合組込みされた状態で床Ｆから天井Ｇにまで至る支柱であって、該支柱７の左右方向内側面板７ａには、戸尻側、戸先側の縦枠８、９がビス８ａ、９ａを介してそれぞれ固定されるが、戸尻側縦枠８は、左右方向外方が開口した略凵字形の型材によって構成されるが、前後両脚片８ｂと跨片８ｃとの両角部８ｄはＬ字形に凹設されていて、ここに戸袋パネル２の戸尻側端が嵌入するようになっている。さらに戸尻側縦枠８の前後両脚片８ｂの戸尻側端は、前後方向内方に向けて折曲された折曲片８ｅを有しているが、該折曲片８ｅの前後方向内端は支柱７の前後方向板面７ｂに当接している。
尚、１０は戸尻側縦枠８の跨片８ｃと支柱７の左右方向内側面板７ａとのあいだに適宜間隔を存して介装された戸尻側中材（補強材）、１１は戸尻側縦枠８の跨片８ｃの戸先側面に取付けられた弾性を有した戸当り材である。
【００１２】
戸尻側縦枠８の前記角部８ｄの前後方向を向く面板８ｆには、上下方向に長い切欠き孔８ｇが形成され、該切欠き孔８ｇに係止金具８ｈが係脱自在に取付けられている。そして係止金具８ｈの面板８ｆから突出するフック部８ｉを、戸袋パネル２の前後内面に設けた係止孔２ａに嵌入係止することで戸袋パネル２の戸尻側縦枠８への取付け支持ができるようになっている。
【００１３】
また戸先側縦枠９は、戸体１の戸先端が当接する凹陥状の跨片９ｂと、該跨片９ｂの前後端から前後方向に延出する前後方向片９ｃと、該後方向片９ｃの前後端から左右方向外方に延びたものが前後方向内方に折曲して戸先側支柱７に至る面板９ｄと、により構成されているが、跨片９ｂと支柱７とのあいだに戸先側中材１２が設けられている。
尚、前後方向片９ｃの上端部には、後述する蓋材１７の戸先側下端部に設けた止めネジ１７ｃを螺入するための螺子受け９ｇが設けられている。
【００１４】
次に、上枠１３部位について説明する。該上枠１３は、開口部の全幅に亘って設けられるものであるが、上枠１３の前後方向一方側面を構成する本体板（本発明の「前後方向一方側の板材」に相当する。）１３ａの戸尻側半部の下端部は、戸袋パネル２のパネル厚分、上枠１３の前後方向他方側に向けて折曲されたものが下方に向けて折曲された逆Ｌ字形のパネル受け片１３ｂが形成されており、該パネル受け片１３ｂを前後方向一方側戸袋パネル２の上端部に前後方向他方側から当てがった状態で前後方向他方側からビス１３ｃを螺入することで前後方向一方側戸袋パネル２の上端部への本体板１３ａの取付ができるようになっている。
また、上枠１３の戸尻側半部の上端部は、前後方向他方側に向けて前後方向に幅を存する状態で折返し形成されたものが下方に向けて折曲され、その下端部がさらに前後方向他方側に向けて折曲された上側片１３ｇが形成されるが、該上側片１３ｇは、後述する塞ぎ板１４に至る少し前位置で上方に折曲されたものがさらに前後方向他方側に向けて折曲形成された上端片１３ｈとなっている。
尚、上側片１３ｇには、冂字形をした塞ぎ材１３ｉが嵌入取付けされている。
【００１５】
１５は本体板１３ａの前後方向他方側面に取付けられる補強板であって、該補強板１５は、本体板パネル受け片１３ｂの上面に上側から当接する下端片１５ａと、該下端片１５ａの前後方向他方側端から本体板１３ａに対して前後方向他方側に離間対向する状態で上枠１３の下半部位置まで立上る下半部片１５ｂと、該下半部片１５ｂの上端部から本体板１３ａに当接するよう折曲する折曲片１５ｃと、該折曲片１５ｃの前後方向一方側端から本体板１３ａに当接する状態で立上る上半部片１５ｄと、該上半部片１５ｄの上端部から後述する塞ぎ板１４側に向けて折曲され、本体板上側片１３ｇに下側から当接する上端片１５ｅとによって形成されるが、該上端片１５ｅは、戸尻側端から後述する補強フレーム１６までは、後述する塞ぎ板１４に当接するまで至ったものが下方に向けて折曲された補強片１５ｆが形成されているが、後述する補強フレーム１６部位では後述する塞ぎ板１４には僅かに至らないものとし、後述する補強フレーム１６よりも戸先側部位ではさらに塞ぎ板１４から離間する位置までとなるように設定されている。
【００１６】
前記塞ぎ板１４は、上枠１３の前後方向他方側の戸尻側半部を覆蓋するものであって、下端部は前後方向一方側に向けて逆Ｌ字形に折曲されたパネル受け片１４ａとなっており、該パネル受け片１４ａに前後方向他方側から当てがわれた前後方向他方側戸袋パネル２を前後方向一方側からビス１４ｂを介して固定するようになっている。塞ぎ板１４の上端部は、本体板上端片１３ｈを上側から沿う（覆蓋する）ようにして前後方向一方側に向けて折返し折曲された折返し片１４ｃが形成され、該折返し片１４ｃの下端からは本体板上側片１３ｇに上側から当接するよう前後方向一方側に向けて折曲された上側片１４ｄが形成されている。そして前記前後方向他方側戸袋パネル２が固定された塞ぎ板１４を、下側が前後方向一方側になるよう傾斜した状態で持ち上げ、塞ぎ板上側片１４ｄが本体板上端片１３ｈの上を越えさせた状態で下側を前後方向他方側に移動させることで垂直状（起立状）にし、下端部の巾木６をビス５ｃに載せると、塞ぎ板上側片１４ｄが本体板上側片１３ｇに上側から積層され、これにより塞ぎ板上側片１４ｄ、本体板上側片１３ｇ、そして補強板上端片１５ｅが上側から順に積層され、ここをビス１４ｅで固定することで補強された固定構造となるように設定されている。さらに後述する戸尻側補助プレート１８の上端片１８ａを下側から積層した積層構造となり、ここもビス１４ｅで固定することで補強された固定構造となるように設定されている。
【００１７】
また前記補強フレーム１６は、戸袋パネル２の戸先側端部位の上方に位置して配されるものであるが、、該補強フレーム１６は、冂字形をし、前後方向他方側の脚片１６ａが補強板補強片１５ｆに溶着され、跨部１６ｂが補強板上端片１５ｅに溶着され、前後方向一方側片１６ｃが補強板上半部片１５ｄに溶着されることで上枠１３を補強している。
【００１８】
また上枠１３の前後方向他方側の戸先側半部は点検口となり、点検口には蓋材１７が開閉自在に取付けられるが、該蓋体１７の上端部には、前後方向一方側に向けてＬ字形に折曲した係止片１７ａが形成される。この係止片１７ａは左右両端部を残して切欠かれた切欠き部１７ｂが形成されている。
一方、前記本体板上端片１３ｈの戸先側半部には、蓋材１７を取付けるためのベース材１９がビス１９ａを介して取付けられている。該ベース材１９は、下側にフック部１９ｂが形成され、上側に前記本体板１３ａの上端片１３ｈに上側から積層する取付け片１９ｃが形成され、該取付け片１９ｃと本体板上端片１３ｈとを前記ビス１９ａで固定するようになっている。
前記フック部１９ｂは、前記係止片１７ａの切欠きに対応して左右両端部が切欠かれた切欠き部１９ｅが形成されており、そして蓋材１７は、下側が前後方向他方側に傾斜する姿勢にして切残された左右両端部の係止片１７ａをフック部１９ｂの前記切欠き部１９ｅに挿入した後、下側を前後方向一方側に移動させて起立姿勢とすることで、係止片１７ａがフック部１９ｂの先端に載る状態で係止する一方、係止部１７ａの挿入した部位がフック部１９ｂの前後方向他方片１９ｄに前後方向一方側から当接することで外れ防止がなされるようになっている。
因みに塞ぎ板１４の戸先側下端部には後述する蓋材１７の戸尻側下端部に設けた止めネジ１７ｃを螺入するための螺子受け１４ｇが設けられている。
【００１９】
また前記戸尻側補助プレート１８および戸先側補助プレート２０は、上端片１８ａ、２０ａが補強板上端片１５ｅの下側に積層された状態でビス１４ｅを介して固定されるようになっているが、これら補助プレート１８、２０の本体部１８ｂ、２０ｂは、補強板上半部片１５ｄに前後方向他方側から当接し、ビス１４ｆを介して固定されるが、本体部１８ｂ、２０ｂの左右方向外端縁から前後方向他方側に折曲形成した取付け片１８ｃ、２０ｃが戸尻側および戸先側縦枠８、９の跨片８ｃ、９ｂに当てがわれ、ビス１４ｇを介して固定されるようになっている。
この場合において、戸先側縦枠９の跨片９ｂの上端部は切欠かれた切欠き部９ｆとなっており、該切欠き部９ｆに本体板上側片１３ｇの戸先側端に設けた凸片１４ｇを挿入することで位置決めできるようになっている。
さらに戸先側補助プレート２０の下側板２０ｄには、蓋材１７に設けた図示しない錠装置のラッチを受けるためのストライク２０ｅが設けられている。
【００２０】
さらに上枠１３には、前記走行レール４が設けられるが、該走行レール４は、補強板１５の下半部片１５ｂにビス４ａを介して取付けられるが、該走行レール４は、前記走行ローラ３の戸先側、戸尻側ブラケット３ａ、３ｂの前記取付け高さの相違に対応して戸先側が高く戸尻側が低くなるよう傾斜していることで戸体１は、水平姿勢を維持する状態で戸先側に自然に移動する自閉式になっている。
また戸先側ブラケット３ａには、緩衝具（例えばエアダンパ）２１を取付けるための取付金具２１ａが設けられているが、該緩衝具２１は、全閉する少し前位置からロッド２１ｂが戸先側補助プレート２０に設けた緩衝受け板２０ｇに当接してシリンダ筒２１ｃに抵抗を受ける状態で没入することにより全閉時の衝撃吸収をするようになっている。
さらにまた、戸尻側ブラケット３ｂには、弾性板材から形成されたストッパ２２が設けられているが、該ストッパ２２は、戸体１を全開した場合に本体板１３ａに設けたストッパ受け２２ａに弾性係止して戸体１が自閉移動しないようになっている。
【００２１】
２３は上枠１３と天井Ｇとのあいだに設けられる欄間であって、該欄間２３は、本実施の形態では前後方向両側方に配したパネル材で構成されているが、該欄間２３は、前記戸尻側、戸先側支柱７、並びに上枠１３と天井Ｇとのあいだに建て付けた中間支柱２４に収まるようになっている。中間支柱２４は、断面Ｃ型状で、底部に嵌入された底板２４ａがビス２４ｂを介して柱周片に固定されているが、該底板２４ａをビス２４ｃを介して本体板上側片１３ｇに固定することで取付けられる。また中間支柱２４の上端部は、天井Ｇにビス２４ｅ固定された支持金具２４ｄに外嵌され、ビス２４ｂを介して支持金具２４ｄに固定されるようになっている。このように欄間２３は、戸尻側、戸先側支柱７、並びに中間支柱２４とに収まるようになっているため、補強された状態での納まりができるようになっている。
【００２２】
叙述の如く構成された本実施の形態において、戸体１は、上枠１３に設けた走行レール４を転動することで開閉移動することになるが、上枠１３の左右方向中間部（戸袋パネル２の戸先側端部の上方）には、上枠１３の構成部材である本体板１３ａに固定する状態で補強フレーム１６が設けられているため、戸体１を支持するための走行レール４が設けられる上枠１３の左右方向中間部の補強ができることになって、戸枠１３の強度アップが図れることになる。
【００２３】
しかも補強フレーム１６は、冂字形をし、前後方向他方側脚片１６ａ、跨部１６ｂ、そして前後方向一方側片１６ｃが、何れも上枠１３の構成部材である補強板１５の補強片１５ｆ、上端片１５ｅ、そして上半部片１５ｄにそれぞれ溶着した固定状態となって補強するため、更なる強度アップが図れることになる。
【００２４】
そのうえこの場合において、上枠１３は、開口部の全幅に亘って設けられた本体板１３ａが前後方向一方側面及び上面を覆い、前後方向他方側において戸袋パネル側上方を塞ぐ塞ぎ板１４と、戸先側開口上方の点検口を開閉自在に覆蓋する蓋体１７とを備えて構成されるものであり、補強フレーム１６は、塞ぎ板１４の戸先側部位に配設されていて戸袋パネルの戸先側部位の上方の強度アップを図るものであるため、上枠中間部の補強が確実になる。
【００２５】
さらに本体板１３ａの内面には、走行レール４が設けられる補強板１５が設けられ、そして上枠１３の戸尻側半部の上面は、補強板の上側片１５ｅ、本体板１３ａの上側片１３ｇ、並びに塞ぎ板１４の上側片１４ｄの三枚の板材が上下方向に積層された状態でビス１４ｅを介して固定されているため、上枠１３のさらなる強度アップが図られることになる。
【００２６】
またこのものでは、上枠１３の上方に欄間板２３を設けた構成になっているが、欄間２３は、左右方向については戸尻側、戸先側の両支柱７と、補強フレーム１６の配設位置の上方に配した中間支柱２４とのあいだに収まるように設けられているため、ここにおいても強度アップが図れることになる。
【００２７】
そのうえこのものでは、戸袋パネル２は、下端部に設けた巾木６が床側材５の折返し部５ｂに外嵌する状態で支持され、戸尻側端部に形成の係止孔２ａが戸尻側縦枠８に設けた係止金具８ｈに係止することで支持され、上端部が上枠１３の下端部に前後方向内側から螺入したビス１３ｃによって固定されることで支持される、という上下両端縁部および戸尻側端縁部の三縁部の支持がなされるため、間仕切りのように躯体側に直接支持されないような場合であっても、戸袋パネル２の強固な取り付けができることになって強度アップが図れ、戸袋パネル２の不用意な変形が防止され戸体１のスムーズな開閉がなされることになる。
【００２８】
なお、本発明は、上記実施の形態に限定されるものでないことは勿論であるが、欄間２３を設ける場合、前後一対のパネル材でなく一枚板のパネル（例えばガラス板）のようにする（図１２（Ｃ）参照）こともでき、この場合、塞ぎ材１３ｉを上枠１３の前後厚にまで至る幅広のもので、さらにパネル嵌合溝１３ｊが形成されたものに交換することでよく、さらには欄間においてパネルを省略したものにすることもでき、また欄間がなく、上枠上面を天井に支持させるようにしてもよい。
また補強フレームの上枠への固定は溶着に限定されず、ビス等の適宜固定手段で固定するようにしても勿論よい。
【産業上の利用可能性】
【００２９】
本発明は、出入口等の開口部に建て付けられる上吊り式の引き戸装置として利用することができる。
【符号の説明】
【００３０】
１  戸体
２  戸袋パネル
３  走行ローラ
４  走行レール
１３  上枠
１３ａ  本体板
１４  塞ぎ板
１５  補強板
１６  補強フレーム
１７  蓋材
【図１】
0006370642.tif 000002
【図２】
0006370642.tif 000003
【図３】
0006370642.tif 000004
【図４】
0006370642.tif 000005
【図５】
0006370642.tif 000006
【図６】
0006370642.tif 000007
【図７】
0006370642.tif 000008
【図８】
0006370642.tif 000009
【図９】
0006370642.tif 000010
【図１０】
0006370642.tif 000011
【図１１】
0006370642.tif 000012
【図１２】
0006370642.tif 000013